(57)【要約】【課題】  本発明は、コンテンツに関する属性情報をユーザに対して確実に供給し、その属性情報を基に当該コンテンツを確実に取得させ得るようにする。【解決手段】  本発明は、コンテンツＣ１に関する属性情報Ｚ１を保有する店内用サーバ６と接続された無線ＬＡＮアクセスポイント７を介して当該店内用サーバ６から属性情報Ｚ１を受信し、当該属性情報Ｚ１をコンテンツＣ１の紹介情報としてクライアント端末８に記憶することにより、当該コンテンツＣ１の詳細をユーザに正確に認識させて購入するときの手掛かりとさせることができ、かくしてコンテンツＣ１に関する属性情報Ｚ１をユーザ１１に対して確実に供給し、その属性情報Ｚ１を基に当該コンテンツＣ１を確実に取得させることができる。【選択図】        図１
2007034694.tif 000002
【特許請求の範囲】
【請求項１】
コンテンツに関する属性情報を保有するサーバと、
上記サーバと接続された所定の中継器を介して当該サーバから上記属性情報を受信し、当該属性情報を上記コンテンツの紹介情報として記憶手段に記憶するクライアント端末と
を具えることを特徴とするコンテンツ紹介情報配信システム。
【請求項２】
上記サーバは、上記クライアント端末からの配信要求に対し上記中継器を介して上記属性情報を上記クライアント端末へ送信する
ことを特徴とする請求項１に記載のコンテンツ紹介情報配信システム。
【請求項３】
上記サーバは、上記中継器を介して自身の存在を通信可能範囲の上記クライアント端末へ通知し、
上記クライアント端末は、上記サーバの存在を確認したとき、上記属性情報の配信要求を自動的に上記サーバへ送信し、当該サーバから上記配信要求に応じて送信された上記属性情報を上記コンテンツの紹介情報として自動的に受信して記憶手段に記憶する
ことを特徴とする請求項１に記載のコンテンツ紹介情報配信システム。
【請求項４】
コンテンツに関する属性情報を保有するサーバと所定の中継器を介してアクセス可能なクライアント端末であって、
上記中継器を介して上記サーバから上記属性情報を受信する受信手段と、
上記受信手段により受信した上記属性情報を上記コンテンツの紹介情報として記憶する記憶手段と
を具えることを特徴とするクライアント端末。
【請求項５】
上記属性情報には、上記コンテンツを試聴するためのサイトを表したサイトアドレスが含まれている
ことを特徴とする請求項４に記載のクライアント端末。
【請求項６】
上記属性情報には、上記コンテンツを試聴する際の試聴可能範囲情報が含まれており、その試聴可能範囲情報により制限される範囲内でのみ試聴を許可する
ことを特徴とする請求項５に記載のクライアント端末。
【請求項７】
コンテンツに関する属性情報を保有するサーバと所定の中継器を介して接続されるクライアント端末による属性情報取得方法において、
上記中継器を介して上記サーバから上記属性情報を受信する受信ステップと、
上記受信ステップで受信した上記属性情報を上記コンテンツの紹介情報として記憶手段に記憶する紹介情報記憶ステップと
を具えることを特徴とするクライアント端末の属性情報取得方法。
【請求項８】
コンテンツに関する属性情報を保有するサーバと所定の中継器を介して接続されるクライアント端末に対して、
上記中継器を介して上記サーバから上記属性情報を受信する受信ステップと、
上記受信ステップで受信した上記属性情報を上記コンテンツの紹介情報として記憶手段に記憶する紹介情報記憶ステップと
実行させることを特徴とする属性情報取得プログラム。
【請求項９】
コンテンツに関する属性情報を保有するサーバと、
上記サーバと接続された所定の中継器を介して当該サーバから受信した上記属性情報を上記コンテンツの紹介情報として記憶手段に記憶し、上記属性情報に基づいて取得した上記コンテンツを再生したときの再生履歴を日時毎のコンテンツ再生記録として保存するクライアント端末と
を具えることを特徴とするコンテンツ紹介情報配信システム。
【請求項１０】
コンテンツに関する属性情報を保有するサーバと接続された所定の中継器を介して当該サーバから上記属性情報を受信する受信手段と、
上記受信手段を介して受信した上記属性情報を上記コンテンツの紹介情報として記憶する記憶手段と、
上記属性情報に基づいて取得した上記コンテンツを再生したときの再生履歴を日時毎のコンテンツ再生記録として保存する保存手段と
を具えることを特徴とするクライアント端末。
【請求項１１】
上記クライアント端末は、
上記コンテンツ再生記録を日時毎に読み出すことによりコンテンツ再生日記としてユーザに提示する表示手段と
を具えることを特徴とする請求項１０に記載のクライアント端末。
【発明の詳細な説明】
【技術分野】
【０００１】
本発明は、コンテンツ紹介情報配信システムに関し、例えばコンテンツを紹介するための属性情報を広くユーザに知らしめるコンテンツ紹介情報配信システムに適用して好適なものである。
【背景技術】
【０００２】
従来、音楽等のコンテンツとしてはディジタル化が進み、ユーザはコンテンツに関する楽曲名、アーティスト名、発売日等の属性情報をネットワーク上で閲覧し、当該コンテンツの一部を試聴することができるようになっている。また従来からテレビの広告では、コンテンツの内容を一部紹介することができるようになっている。
【０００３】
その一方、ユーザの端末からの配信要求に応じてサーバがデジタルコンテンツを即座に配送するようになされたデジタルコンテンツ配送システムがある（例えば、特許文献１参照）。
【特許文献１】特開2004-265397公報
【発明の開示】
【発明が解決しようとする課題】
【０００４】
ところでかかる構成のデジタルコンテンツ配送システムにおいては、デジタルコンテンツの配信要求を行うユーザの端末に対して当該デジタルコンテンツを配送することはできるが、サーバがどのようなデジタルコンテンツを保持しているのかをユーザが知っていることが前提であり、それを知らないユーザにとってはデジタルコンテンツの存在を知り得ず配信要求を行うことができなかった。
【０００５】
また、現在ではネットワーク上でコンテンツに関する属性情報を閲覧することができるものの、どのようなコンテンツが何処に行けば購入できるのかという情報については、テレビや雑誌の広告等の従来メディアを利用したものが殆どであり、ユーザにとっては企業の提供する一部の情報を入手するに過ぎないのが実情である。
【０００６】
またテレビの広告ではコンテンツの一部を紹介することはできるが、放送という告知形態であるために、ユーザの手元にコンテンツの属性情報を確実に残すことはできず、雑誌等の広告形態では紙面上での文章表現が限界であるためコンテンツの詳細を十分に伝達し難いという問題があった。
【０００７】
本発明は以上の点を考慮してなされたもので、コンテンツに関する属性情報をユーザに対して確実に供給し、その属性情報を基に当該コンテンツを確実に取得させ得るコンテンツ紹介情報配信システムを提案しようとするものである。
【課題を解決するための手段】
【０００８】
かかる課題を解決するため本発明のコンテンツ紹介情報配信システムにおいては、コンテンツに関する属性情報を保有するサーバと、当該サーバと接続された所定の中継器を介して当該サーバから属性情報を受信し、当該属性情報をコンテンツの紹介情報として記憶手段に記憶するクライアント端末とを設けるようにする。
【０００９】
これによりコンテンツ紹介情報配信システムでは、クライアント端末が中継器を介して受信したサーバからの属性情報をコンテンツの紹介情報として記憶することができるので、当該コンテンツの詳細をユーザに正確に認識させてコンテンツ購入のきっかけとすることができる。
【００１０】
また本発明においては、コンテンツに関する属性情報を保有するサーバと所定の中継器を介してアクセス可能なクライアント端末であって、中継器を介してサーバから属性情報を受信する受信手段と、当該受信手段により受信した属性情報をコンテンツの紹介情報として記憶する記憶手段とを設けるようにする。
【００１１】
これによりクライアント端末では、中継器を介して受信したサーバからの属性情報をコンテンツの紹介情報として記憶することができるので、当該コンテンツの詳細をユーザに正確に認識させてコンテンツ購入のきっかけとすることができる。
【００１２】
さらに本発明においては、コンテンツに関する属性情報を保有するサーバと所定の中継器を介して接続されるクライアント端末による属性情報取得方法において、中継器を介してサーバから属性情報を受信する受信ステップと、当該受信ステップで受信した属性情報をコンテンツの紹介情報として記憶する紹介情報記憶ステップとを設けるようにする。
【００１３】
これによりクライアント端末による属性情報取得方法では、中継器を介して受信したサーバからの属性情報をコンテンツの紹介情報として記憶手段に記憶することができるので、当該コンテンツの詳細をユーザに正確に認識させてコンテンツ購入のきっかけとすることができる。
【００１４】
さらに本発明においては、コンテンツに関する属性情報を保有するサーバと所定の中継器を介して接続されるクライアント端末に対して、中継器を介してサーバから属性情報を受信する受信ステップと、当該受信ステップで受信した属性情報をコンテンツの紹介情報として記憶する紹介情報記憶ステップとを実行させるようにする。
【００１５】
これにより属性情報取得プログラムでは、中継器を介して受信したサーバからの属性情報をコンテンツの紹介情報として記憶手段に記憶させることができるので、当該コンテンツの詳細をユーザに正確に認識させてコンテンツ購入のきっかけとすることができる。
【発明の効果】
【００１６】
本発明によれば、中継器を介して受信したサーバからの属性情報をコンテンツの紹介情報として記憶することができるので、当該コンテンツの詳細をユーザに正確に認識させてコンテンツ購入のきっかけとすることができ、かくしてコンテンツに関する属性情報をユーザに対して確実に供給し、その属性情報を基に当該コンテンツを確実に取得させ得るコンテンツ紹介情報配信システム、クライアント端末、クライアント端末の属性情報取得方法及び属性情報取得プログラムを実現することができる。
【発明を実施するための最良の形態】
【００１７】
以下、図面について、本発明の一実施の形態を詳述する。
【００１８】
（１）第１の実施の形態
（１−１）コンテンツ紹介情報配信システムの全体構成
図１において、１は全体として第１の実施の形態におけるコンテンツ紹介情報配信システムを示し、レコード会社２のサーバ３、ＣＤ(Compact Disc)ショップ５の店内用サーバ６、ユーザ１１が所持するクライアント端末８、ユーザ１２が所持するクライアント端末９、これらのクライアント端末８及び９がインターネット上のサイトにアクセスするための無線ＬＡＮ(Local Area Network)アクセスポイント４、７、１０によって構成される。
【００１９】
レコード会社２のサーバ３は、既に音楽のオンライン販売等によって用いられているものと同じ楽曲データのコンテンツＣ１、当該コンテンツＣ１の一部を使って試聴用に生成された試聴用コンテンツＣ１Ａ及び当該コンテンツＣ１に関する属性情報Ｚ１を保持しており、それ以外にもコンテンツＣｎ（図示せず）、試聴用コンテンツＣｎＡ及びその属性情報Ｚｎを保持している。
【００２０】
この属性情報Ｚ１等は、本システムにおいて利用するために新たに作成されたものであり、その内容については後述する。
【００２１】
ＣＤショップ５の店内用サーバ６は、レコード会社２のサーバ３とインターネット（図示せず）を介して接続されており、当該レコード会社２のサーバ３からコンテンツＣ１の属性情報Ｚ１をインターネット経由で取得し保存する。
【００２２】
ＣＤショップ５の店内用サーバ６は、本システム向けのアプリケーションプログラムに従って稼動するパーソナルコンピュータでなり、レコード会社２のサーバ３から取得した属性情報Ｚ１、Ｚ２及びＺ３を基にユーザ１１のクライアント端末８及びユーザ１２のクライアント端末９へ紹介情報として提供するための情報画面Ｇ１を生成し、これを内部に保存している。
【００２３】
なおＣＤショップ５の店内用サーバ６は、レコード会社２のサーバ３だけではなく、他のレコード会社のサーバからもコンテンツの属性情報をインターネット経由で取得し保存し得るようになされている。
【００２４】
またＣＤショップ５の店内用サーバ６は、店内に限らず店頭までを通信可能範囲とする無線ＬＡＮアクセスポイント７に接続されており、ユーザ１１が保持して持ち歩くクライアント端末８と無線ＬＡＮアクセスポイント７を介して無線通信し、種々のデータをやりとりするようになされている。
【００２５】
クライアント端末８及び９は、本システム向けに開発された属性情報取得プログラム等のアプリケーションプログラムに従って稼動する例えばノートブック型パーソナルコンピュータでなり、コンテンツＣｎの再生が可能で、当該コンテンツＣｎを保存するためのハードディスク又はフラッシュメモリ等の記憶媒体を有し、かつ各種情報を表示するＬＣＤ(Liquid Crystal Display)８Ａ及び９Ａが設けられている。
【００２６】
このクライアント端末８及び９は、相互に無線通信可能でいわゆるアドホックネットワークを構築し得るようになされており、相互に種々のデータをやりとりするようになされている。
【００２７】
（１−２）ハードウェア構成
（１−２−１）レコード会社におけるサーバの回路構成
図２に示すようにレコード会社２のサーバ３は、全体を統括制御するＣＰＵ(Central Processing Unit)２１を有し、当該ＣＰＵ２１に対しバス２７を介してＲＯＭ(Read Only Memory)２２、ＲＡＭ(Random Access Memory)２３及びハードディスクドライブ２４が接続され、当該ハードディスクドライブ２４から読み出してＲＡＭ２３上に展開した基本プログラム及び各種アプリケーションプログラムに従って各種処理を実行する。
【００２８】
またサーバ３は、ネットワークインタフェース２５を介して無線ＬＡＮアクセスポイント４に接続されると共に、ネットワークインタフェース２６を介してインターネット等の外部ネットワークに接続されている。
【００２９】
従ってサーバ３は、無線ＬＡＮアクセスポイント４を介して例えばユーザ１２が保持して持ち歩くクライアント端末９との間でデータのやりとりを実行し、ネットワークインタフェース２６及びインターネットを経由してＣＤショップ５の店内用サーバ６との間でデータのやりとりを実行し得るようになされている。
【００３０】
（１−２−２）ＣＤショップにおける店内用サーバの回路構成
図３に示すようにＣＤショップ５の店内用サーバ６は、全体を統括制御するＣＰＵ３１を有し、当該ＣＰＵ３１に対しバス３７を介してＲＯＭ３２、ＲＡＭ３３及びハードディスクドライブ３４が接続され、当該ハードディスクドライブ３４から読み出してＲＡＭ３３上に展開した基本プログラム及び各種アプリケーションプログラムに従って各種処理を実行する。
【００３１】
また店内用サーバ６は、ネットワークインタフェース３５を介して店内用の無線ＬＡＮアクセスポイント７に接続されると共に、ネットワークインタフェース３６を介してインターネット等の外部ネットワークに接続されている。
【００３２】
従って店内用サーバ６は、店内用の無線ＬＡＮアクセスポイント７を介して例えばユーザ１１が保持して持ち歩くクライアント端末８との間でデータのやりとりを実行し、ネットワークインタフェース３６及びインターネットを経由してレコード会社２のサーバ３との間でデータのやりとりを実行し得るようになされている。
【００３３】
（１−２−３）クライアント端末の回路構成
次にクライアント端末８及び９の回路構成について説明するが、ここではクライアント端末８及び９の回路構成は同一であるため、説明の便宜上クライアント端末８についてのみ説明する。
【００３４】
図４に示すようにクライアント端末８は、全体を統括制御するＣＰＵ４１を有し、当該ＣＰＵ４１に対しバス４６を介してＲＯＭ４２、ＲＡＭ４３、ハードディスクドライブ４４及びＬＣＤ８Ａが接続され、当該ハードディスクドライブ４４から読み出してＲＡＭ４３上に展開した基本プログラム及び属性情報取得プログラム等の各種アプリケーションプログラムに従って各種処理を実行し、その実行結果をＬＣＤ８Ａに表示する。
【００３５】
またクライアント端末８は、無線ＬＡＮカード等の無線通信インタフェース４５を介してＣＤショップ５における店内用の無線ＬＡＮアクセスポイント７やレコード会社２と接続された無線ＬＡＮアクセスポイント４及び１０と無線接続することにより、ＣＤショップ５の店内用サーバ６、レコード会社２のサーバ３との間でデータのやりとりを実行し得るようになされている。
【００３６】
またクライアント端末８は、無線通信インタフェース４５を介してクライアント端末９とアドホックネットワークを構築し得るようになされており、相互にデータをやりとりするようになされている。
【００３７】
（１−３）レコード会社が提供する属性情報の構成要素
次に、レコード会社２のサーバ３が本システム向けに新たに作成した属性情報Ｚｎの具体的な構成要素について説明する。
【００３８】
図５に示すように、例えば属性情報Ｚ１は、楽曲データ１曲について、その楽曲データに関する種々の情報をまとめ、さらに暗号化を施して他者が勝手に改変できないようにしたものであり、当該楽曲データに関する種々の情報としては主にレコード会社などその楽曲データの提供者が入力する以下のような項目がある。
【００３９】
属性情報Ｚ１には、クライアント端末８及び９のＬＣＤ８Ａ及び９Ａ上に表示される構成要素として、楽曲データのタイトルを表した曲名「ＸＸＸＸ」、その楽曲データの演奏者を表したアーティスト名「ＹＹＹ」、その楽曲データが収められているアルバム名「ＺＺＺＺ」及びその楽曲データ又はアルバムが発売される日付を表した発売日「2005/02/18」等がある。
【００４０】
特に、この発売日に関する情報は、例えばアルバムの発売日の前に属性情報Ｚ１をユーザが取得したときに、クライアント端末８及び９がスケジュール機能を有している場合に、そのスケジュール機能と連動させて発売日にお知らせ情報を表示する目的に使用することが可能となる。
【００４１】
また属性情報Ｚ１には、本システムが機能するためにクライアント端末８及び９が内部的に利用するための構成要素があり、ユーザにとっては特別な操作をしない限り見ることができない、またはどのような操作をしても見ることができないというものである。
【００４２】
具体的には、試聴用アドレス、コンテンツＣ１に対する試聴可能範囲、コンテンツＣ１に関する著作権情報、属性情報Ｚ１のバージョン及び属性情報アドレスがある。
【００４３】
試聴用アドレスとは、試聴用コンテンツＣ１Ａの置いてあるインターネット上のアドレスであり、クライアント端末８及び９はこの試聴用アドレスから試聴用コンテンツＣ１Ａをダウンロードし、ストリーミング再生等を行うことにより、ユーザに対してコンテンツＣ１の一部である試聴用コンテンツＣ１Ａを聴取させるようになされている。
【００４４】
試聴可能範囲とは、コンテンツＣ１の一部を試聴する場合の開始時点と終了時点とが決められた時間的範囲であり、たとえば楽曲データのサビ部分に相当するものでユーザに対してコンテンツＣ１に対する興味を湧かせるようになされている。
【００４５】
この試聴可能範囲は、クライアント端末８及び９がインターネットに接続不可能な環境下でレコード会社２におけるサーバ３の試聴用コンテンツＣ１Ａにアクセスできないとき、クライアント端末８及び９同士のみが互いにアドホック接続されている状態でコンテンツＣ１の一部を試聴できるようにするためのものである。
【００４６】
すなわち、クライアント端末８が正規にレコード会社２から購入したコンテンツＣ１をハードディスクドライブ４４に保存している場合、アドホック接続されたクライアント端末９へコンテンツＣ１の試聴可能範囲に相当する部分だけを試聴用データとして送信することができるのである。
【００４７】
この場合、クライアント端末９にとっては、レコード会社２のサーバ３にアクセスして試聴しているのかユーザ１１のクライアント端末８にアクセスして試聴しているのか意識することなく、インターネット接続環境下ではないときであってもコンテンツＣ１を所有しているクライアント端末８と接続可能であれば試聴し得るようになされている。
【００４８】
著作権情報とは、コンテンツＣ１の正当性を確かめるための鍵情報である。すなわち、上述の試聴可能範囲の情報を用いてクライアント端末８及び９同士で試聴を行う場合に、不正に入手したコンテンツＣ１を使用することができてしまうと、全く違う楽曲データのコンテンツを試聴させることも可能になる。
【００４９】
これはレコード会社２の意図とは異なる状態であるため、ユーザ１１からユーザ１２へ試聴させるためのコンテンツＣ１としてはレコード会社２から正規の手段で購入し、中身の改変等も行われていないことが保証されていなければならない。
【００５０】
そこでクライアント端末８が試聴用に試聴可能範囲に相当するコンテンツＣ１の一部をユーザ１２にクライアント端末９へ送信する場合に、この著作権情報を用いて照合することによりコンテンツＣ１の正当性を確認するようになされている。
【００５１】
バージョンとは、属性情報Ｚ１のバージョンである。属性情報Ｚ１は、ユーザ１１、１２のクライアント端末８、９に保存可能であって、ユーザ１１からユーザ１２へと勝手にコピーされることによりコンテンツＣ１を広く知らしめて広告的機能を発揮することを目的としている。
【００５２】
しかしながら、ときには属性情報Ｚ１に間違いが見つかることも有り得るため、当該属性情報Ｃ１の提供者がそれを修正するための手段が必要であり、そのため属性情報Ｚ１にバージョン番号を与え、クライアント端末８及び９側で新しい情報であるか古い情報であるかを確認し得るようになされている。
【００５３】
属性情報アドレスとは、属性情報Ｚ１の発信元となるインターネット上のアドレスである。この属性情報Ｚ１は、ユーザ１１からユーザ１２へ勝手にコピーされるものであるが、属性情報Ｚ１の作成者が配布を行っているアドレスのサイトから取得することが一番確かである。
【００５４】
特に、属性情報Ｚ１が更新されて新しいバージョンのものが作成されているかどうかをチェックするために、クライアント端末８及び９は属性情報アドレスにアクセスし、バージョン番号を比較することにより属性情報Ｚ１が最新のものであるか否かを判別し、最新のものでないときには最新の属性情報Ｚ１をダウンロードして更新するようになされている。なお、バージョン番号の確認をどのタイミングで行うかについては任意である。
【００５５】
（１−４）ＣＤショップやユーザによる属性情報の取り扱い
コンテンツ紹介情報配信システム１（図１）では、レコード会社２の作成した属性情報Ｚ１がインターネット又は本システムのネットワークを通じてＣＤショップ５の店内用サーバ６やユーザ１１、１２のクライアント端末８、９へ広く配布される。
【００５６】
ＣＤショップ５等の本システムの利用者は、レコード会社２から取得した属性情報Ｚ１、Ｚ２及びＺ３等を用いて任意の情報画面Ｇ１を生成し、これを内部のハードディスクドライブ３４（図３）に保存しておくことができるようになされている。但し、属性情報Ｚｎについては一切改変することはできない。
【００５７】
なおユーザ１１及び１２についても、クライアント端末８及び９を介して無線ＬＡＮアクセスポイント４及び１０を介してレコード会社２から取得した属性情報Ｚ１、Ｚ４を用いて任意の情報画面Ｇ３（図１）や情報画面Ｇ４を生成し、これを内部のハードディスクドライブ４４（図４）に保存しておくことができるようになされている。
【００５８】
実際上、図６に示すようにＣＤショップ５の店内用サーバ６からクライアント端末８が取得した情報画面Ｇ１においては、属性情報Ｚ１、Ｚ２及びＺ３とそれに関する任意のコメントＭ１及び任意の画像Ｖ１が１枚にまとめられている。
【００５９】
ここで属性情報Ｚ１、Ｚ２及びＺ３についてはレコード会社２のサーバ３から取得したものであり、ＣＤショップ５の店内用サーバ６では複数の属性情報Ｚｎのうち所望の属性情報Ｚ１、Ｚ２及びＺ３を任意に選択してＣＤショップ５のオリジナルとなる情報画面Ｇ１を生成し得るようになされている。
【００６０】
任意のコメントＭ１は、主に属性情報Ｚ１、Ｚ２及びＺ３の紹介文であり、１曲毎に別々のコメントを用意したり、或いは属性情報Ｚ１、Ｚ２及びＺ３の全体に対するコメントを用意してもよく、またコメントＭ１の情報画面Ｇ１中の配置についても自由に利用者が決められる。
【００６１】
任意の画像Ｖ１は、情報画面Ｇ１のタイトルロゴ「Ｎｅｗ  Ｒｅｌｅａｓｅ」であったり、選択した属性情報Ｚｎに関するコンテンツをイメージさせる写真やアルバムジャケット、もしくは所定時間のサンプル動画であったり、画像Ｖ１の数や位置についても自由に利用者が決められる。
【００６２】
なおＣＤショップ５の店内用サーバ６は、このような情報画面Ｇ１を複数生成し、内部のハードディスクドライブ３４に保存しておくことができる。
【００６３】
情報画面Ｇ１におけるコメントＭ１、画像Ｖ１、属性情報Ｚ１、Ｚ２及びＺ３などの各要素は、次の情報画面Ｇ２へのリンクを張ることが可能であり、それを呼び出す機能を有している。これによりクライアント端末８及び９では、コメントＭ１、画像Ｖ１、属性情報Ｚ１、Ｚ２及びＺ３などの各要素がクリックされると予め設定された次の情報画面Ｇ２へジャンプするようになされている。
【００６４】
ところでクライアント端末８及び９は、ハードディスクドライブ４４に情報画面Ｇ１の属性情報Ｚ１、Ｚ２及びＺ３に対応するコンテンツＣ１、Ｃ２及びＣ３が既に格納されている場合、その全てを再生することが可能であるものの、格納されていない場合には無線ＬＡＮアクセスポイント１０を介してレコード会社２のサーバ３にアクセスし、試聴用コンテンツＣ１Ａ等をストリーミング再生し得るようになされている。
【００６５】
因みにクライアント端末８及び９は、属性情報Ｚ１、Ｚ２及びＺ３に対応するコンテンツＣ１、Ｃ２及びＣ３が格納されているか否かを判別する際には、著作権情報（図５）を用いて照合することによりコンテンツＣ１、Ｃ２及びＣ３の正当性を検証するようになされている。
【００６６】
（１−５）ＣＤショップ内での本システムの利用形態
ＣＤショップ５の店内用サーバ６は、内部のハードディスクドライブ３４に情報画面Ｇ１（図６）を保存しており、例えばユーザ１１がＣＤショップ５を訪れ、クライアント端末８から店内用の無線ＬＡＮアクセスポイント７経由で情報画面Ｇ１の取得要求を受け付けると、当該情報画面Ｇ１を無線ＬＡＮアクセスポイント７経由でクライアント端末８へ送信する。
【００６７】
クライアント端末８は、店内用サーバ６から受信した情報画面Ｇ１をＬＣＤ８Ａに表示することにより、ＣＤショップ５がお勧めするコンテンツＣ１、Ｃ２及びＣ３の属性情報Ｚ１、Ｚ２及びＺ３をユーザ１１に提示することができる。
【００６８】
これによりユーザ１１は、情報画面Ｇ１の属性情報Ｚ１、Ｚ２及びＺ３のうち興味を持ったものについては、例えば属性情報Ｚ１を選択することにより店内用の無線ＬＡＮアクセスポイント７経由でレコード会社２のサーバ３から当該属性情報Ｚ１に対応する試聴用コンテンツＣ１Ａをストリーミング再生し得るようになされている。
【００６９】
因みにクライアント端末８は、ＣＤショップ５の店内用サーバ６がハードディスクドライブ３４に試聴用コンテンツＣ１Ａを保存しているときには、店内用の無線ＬＡＮアクセスポイント７経由で店内用サーバ６から試聴用コンテンツＣ１Ａを直接ストリーミング再生することもできる。
【００７０】
ユーザ１１は、こうして気に入った楽曲データの例えばコンテンツＣ１が見つかった場合、ＣＤショップ５内でコンテンツＣ１が収録されたＣＤを探して購入することもできるし、或いは店内用の無線ＬＡＮアクセスポイント７経由でレコード会社２のサーバ３にアクセスし、コンテンツＣ１をダウンロードすることにより購入し得るようになされている。
【００７１】
このようなＣＤショップ５内における本システムを利用する流れについては、図７のシーケンスチャートにより表すことができる。ステップＳＰ１においてレコード会社２のサーバ３は、コンテンツＣｎに関する試聴用コンテンツＣｎＡとその属性情報Ｚｎを作成し、インターネット経由で誰もが取得可能な場所に保存しておき、次のステップＳＰ２へ移る。
【００７２】
一方、ステップＳＰ１１においてＣＤショップ５の店内用サーバ６は、ユーザ１１、１２へ提供したい楽曲データのコンテンツＣｎを決め、そのコンテンツＣｎの属性情報Ｚｎをレコード会社２のサーバ３へ要求し、次のステップＳＰ１２へ移る。
【００７３】
このときステップＳＰ２においてレコード会社２のサーバ３は、ＣＤショップ５の店内用サーバ６からの要求に応じて属性情報ＺｎをＣＤショップ５の店内用サーバ６へインターネット経由で送信し、次のステップＳＰ３へ移る。
【００７４】
ステップＳＰ１２においてＣＤショップ５の店内用サーバ６は、レコード会社２のサーバ３から取得した属性情報Ｚｎに対してＣＤショップ５独自のコメントＭ１や画像Ｖ１等を付加することにより情報画面Ｇ１（図６）を生成し、次のステップＳＰ１３へ移る。
【００７５】
ステップＳＰ１３においてＣＤショップ５の店内用サーバ６は、情報画面Ｇ１をハードディスクドライブ３４に保存し、店内用の無線ＬＡＮアクセスポイント７を介してクライアント端末８からアクセス可能な状態に設定しておき、次のステップＳＰ１４へ移る。
【００７６】
このときステップＳＰ２１においてクライアント端末８は、ＣＤショップ５に設けられた店内用の無線ＬＡＮアクセスポイント７を経由して店内用サーバ６にアクセスし、情報画面Ｇ１の取得要求を行い、次のステップＳＰ２２へ移る。
【００７７】
これを受けてステップＳＰ１４においてＣＤショップ５の店内用サーバ６は、クライアント端末８からの取得要求に応じて情報画面Ｇ１を店内用の無線ＬＡＮアクセスポイント７経由で当該クライアント端末８へ送信し、次のステップＳＰ１５へ移る。
【００７８】
このときステップＳＰ２２においてクライアント端末８は、ＣＤショップ５の店内用サーバ６から取得した情報画面Ｇ１をＬＣＤ８Ａに表示することによりユーザ１１に閲覧させ、当該情報画面Ｇ１のうちユーザが興味を持った属性情報Ｚｎに対応する試聴用コンテンツＣｎＡをレコード会社２のサーバ３に無線ＬＡＮアクセスポイント７又は１０を経由して要求し、次のステップＳＰ２３へ移る。
【００７９】
これを受けてステップＳＰ３においてレコード会社２のサーバ３は、クライアント端末８からの要求に応じて属性情報Ｚｎに対応する試聴用コンテンツＣｎＡをハードディスクドライブ２４から読み出して無線ＬＡＮアクセスポイント７又は１０を経由し当該クライアント端末８へ無線送信する。
【００８０】
これによりステップＳＰ２３においてクライアント端末８は、レコード会社２のサーバ３から取得した試聴用コンテンツＣｎＡをストリーミング再生することによりユーザ１１に対して試聴させる。この結果、ユーザ１１が試聴用コンテンツＣｎＡを気に入ったときには、ステップＳＰ１５においてＣＤショップ５は、その試聴用コンテンツＣｎＡのコンテンツＣｎが収録されているＣＤを販売する。
【００８１】
このようにユーザ１１にとっては、ＣＤショップ５に行ったとき、試聴用ＣＤを聞く機会に恵まれなくても、店内用サーバ６から提供された情報画面Ｇ１を介してコンテンツＣｎに関する属性情報Ｚｎを取得することができ、その属性情報Ｚｎに基づいてレコード会社２のサーバ３へ店内用の無線ＬＡＮアクセスポイント７を経由してアクセスすることにより、自身で所有するクライアント端末８を介して直ちに試聴用コンテンツＣｎＡを試聴することができる。
【００８２】
従ってユーザ１１は、試聴用コンテンツＣｎＡを試聴しただけで気に入り、そのコンテンツＣｎが収録されているＣＤがＣＤショップ５に在庫として有るときには、当該ＣＤをその場で購入することができる。
【００８３】
しかしながらユーザ１１は、コンテンツＣｎが収録されているＣＤがＣＤショップ５に在庫が存在しないときでも、レコード会社２のサーバ３から無線ＬＡＮアクセスポイント７又は１０を経由してコンテンツＣｎをダウンロードすることにより取得することができる。
【００８４】
（１−６）ＣＤショップ外での本システムの利用形態
なお図１においてユーザ１１は、ＣＤショップ５の店内用サーバ６から取得した情報画面Ｇ１をクライアント端末８のハードディスクドライブ４４に保存しておくことができるようになされており、ＣＤショップ５から離れた後、駅構内や自宅等に設置された無線ＬＡＮアクセスポイント１０を介してレコード会社２のサーバ３にアクセスし、例えば属性情報Ｚ１に対応する試聴用コンテンツＣ１Ａをストリーミング再生して試聴することができる。
【００８５】
すなわちユーザ１１は、クライアント端末８に情報画面Ｇ１を記憶させておくことにより、ユーザ１１が希望するタイミングで情報画面Ｇ１中の属性情報Ｚｎに対応する試聴用コンテンツＣｎＡを試聴することができるのである。
【００８６】
（１−７）ユーザ同士による本システムの利用形態
（１−７−１）クライアント端末同士のやりとり
図１においてユーザ１１は、クライアント端末８に保存した情報画面Ｇ１の中から他のユーザ１２へ紹介したいと考えた例えばコンテンツＣ１について、当該コンテンツＣ１の属性情報Ｚ１が記載された情報画面Ｇ３を作成することができるようになされている。
【００８７】
ユーザ１１は、他のユーザ１２と出会ったときに、クライアント端末８とクライアント端末９とが相互に無線通信を行うアドホックネットワークを構築し、クライアント端末８が所持する情報画面Ｇ３をユーザ１２のクライアント端末９へ無線送信する。
【００８８】
これとは逆に、ユーザ１２がユーザ１１に対して紹介したい例えばコンテンツＣ４があったときには、そのコンテンツＣ４に対応する属性情報Ｚ４が記載された情報画面Ｇ４をユーザ１１のクライアント端末８へ無線送信する。
【００８９】
このようにしてユーザ１１及び１２は、お互いが所持するクライアント端末８及び９を介して他人へ薦めたいお気に入りのコンテンツＣ１やコンテンツＣ３を紹介し合うことができるので、クライアント端末８及び９を新たなコミュニケーションツールとして用い得るようになされている。
【００９０】
従ってユーザ１２は、ユーザ１１のクライアント端末８から取得して自身が所有するクライアント端末９に保存した情報画面Ｇ３を後で閲覧し、無線ＬＡＮアクセスポイント４を経由して属性情報Ｚ１に対応する試聴用コンテンツＣ１Ａをレコード会社２のサーバ３からストリーミング再生して試聴し、気に入ればそのコンテンツＣ１をレコード会社２のサーバ３から直接ダウンロードして購入することができるようになされている。
【００９１】
同様にユーザ１１は、ユーザ１２のクライアント端末９から取得して自身が所有するクライアント端末８に保存した情報画面Ｇ４を後で閲覧し、無線ＬＡＮアクセスポイント１０を経由して属性情報Ｚ４に対応する試聴用コンテンツＣ４Ａをレコード会社２のサーバ３からストリーミング再生して試聴し、気に入ればそのコンテンツＣ４をレコード会社２のサーバ３から直接ダウンロードして購入することができるようになされている。
【００９２】
このようなクライアント端末８及び９を所持するユーザ１１及び１２同士が本システムを利用してコンテンツＣｎをやりとりする流れについては、図７との対応部分に同一符号を付して示す図８のシーケンスチャートにより表すことができる。
【００９３】
ステップＳＰ１においてレコード会社２のサーバ３は、コンテンツＣｎに関する試聴用コンテンツＣｎＡとその属性情報Ｚｎを作成し、インターネット経由で誰もが取得可能な場所に保存しておき、次のステップＳＰ２へ移る。
【００９４】
一方、ステップＳＰ３１においてユーザ１１のクライアント端末８は、ユーザ１１自身が所有している複数のコンテンツＣｎの中から他人へ紹介したいコンテンツＣ１を決め、そのコンテンツの属性情報Ｚ１をレコード会社２のサーバ３へ要求し、次のステップＳＰ３２へ移る。
【００９５】
このときステップＳＰ２においてレコード会社２のサーバ３は、ユーザ１１のクライアント端末８からの要求に応じて属性情報Ｚ１を当該クライアント端末８へインターネット経由で送信し、次のステップＳＰ３へ移る。
【００９６】
ステップＳＰ３２においてクライアント端末８は、レコード会社２のサーバ３から取得した属性情報Ｚ１に対してユーザ１１なりの紹介コメント等を付加し、情報画面Ｇ３（図１）を生成し、次のステップＳＰ３３へ移る。
【００９７】
ステップＳＰ３３においてクライアント端末８は、情報画面Ｇ３をハードディスクドライブ４４に保存し、ユーザ１２のクライアント端末９からアクセス可能な状態に設定しておき、次のステップＳＰ３４へ移る。
【００９８】
このときステップＳＰ４１においてクライアント端末９は、ユーザ１１のクライアント端末８にアクセスし、情報画面Ｇ３の取得要求を行い、次のステップＳＰ４２へ移る。
【００９９】
これを受けてステップＳＰ３４においてクライアント端末８は、クライアント端末９からの取得要求に応じて情報画面Ｇ３を当該クライアント端末９へ無線送信し、次のステップＳＰ４２へ移る。
【０１００】
このときステップＳＰ４２においてクライアント端末９は、クライアント端末８から取得した情報画面Ｇ３をＬＣＤ９Ａに表示することによりユーザ１２に閲覧させ、当該情報画面Ｇ３のうちユーザが興味を持った属性情報Ｚ１に対応する試聴用コンテンツＣ１Ａをレコード会社２のサーバ３に無線ＬＡＮアクセスポイント４を経由して要求し、次のステップＳＰ４３へ移る。
【０１０１】
これを受けてステップＳＰ３においてレコード会社２のサーバ３は、クライアント端末９からの要求に応じて属性情報Ｚ１に対応する試聴用コンテンツＣ１Ａを無線ＬＡＮアクセスポイント４経由で当該クライアント端末９へ無線送信する。
【０１０２】
これによりステップＳＰ４３においてクライアント端末９は、レコード会社２のサーバ３から取得した試聴用コンテンツＣ１Ａをストリーミング再生しユーザ１２に試聴させる。この結果、ユーザ１２が試聴用コンテンツＣ１Ａを気に入ったときには、その試聴用コンテンツＣ１ＡのコンテンツＣ１が収録されているＣＤをＣＤショップ５で購入したり、レコード会社２のサーバ３からコンテンツＣ１をダウンロードすることにより購入するようになされている。
【０１０３】
このようにクライアント端末９のユーザ１２にとっては、ユーザ１１と出会ったとき、当該ユーザ１１のクライアント端末８が作成した情報画面Ｇ３を介してコンテンツＣ１に関する属性情報Ｚ１を取得することができるので、その属性情報Ｚ１に基づいて特定し得たコンテンツＣ１が収録されているＣＤをＣＤショップ５で購入したり、レコード会社２のサーバ３からコンテンツＣ１をダウンロードすることができる。
【０１０４】
すなわちクライアント端末９のユーザ１２は、コンテンツＣ１を購入するのに必要な曲名、アーティスト名、アルバム名及び発売日に関する情報に加えて、当該コンテンツＣ１を実際に試聴するための情報が含まれている属性情報Ｚ１をユーザ１１のクライアント端末８からも取得することができるので、コンテンツＣ１と出会う機会がこれまで以上に増え、気に入ったときには直ちに当該コンテンツＣ１を取得することができる。
【０１０５】
（１−７−２）クライアント端末同士における情報画面のやりとり
続いてクライアント端末８及び９同士で情報画面Ｇ３をやりとりする場合の流れについて説明する。具体的には、図９に示すようにユーザ１１のクライアント端末８は、自身で作成した独自の情報画面Ｇ３Ａ、Ｇ３Ｂ及びＧ３Ｃを保持しており、最初にユーザ１２のクライアント端末９から中身のない空の情報画面Ｅ１を受け取る。
【０１０６】
ここで情報画面Ｇ３Ａ、Ｇ３Ｂ及びＧ３Ｃは、この順番で提示するようになされており、企業のホームページにおける最初の画面のような情報画面Ｇ３Ａ（以下、これを基本情報画面Ｇ３Ａと呼ぶ）、当該基本情報画面Ｇ３Ａに対する次の情報画面Ｇ３Ｂ、当該情報画面Ｇ３Ｂに対する次の情報画面Ｇ３Ｃへとリンクが貼られた構成となっている。
【０１０７】
クライアント端末８は、アドホックネットワークを構築しているクライアント端末９から受信した空の情報画面Ｅ１を基本情報画面Ｇ３Ａに対する取得要求であるとみなし、当該基本情報画面Ｇ３Ａをクライアント端末９へ無線送信することにより、当該クライアント端末９のＬＣＤ９Ａを介してユーザ１２へ基本情報画面Ｇ３Ａを閲覧させるようになされている。
【０１０８】
このときクライアント端末８は、クライアント端末９から受信した空の情報画面Ｅ１を保存するようになされており、これにより空の情報画面Ｅ１をアクセスログとして残し、基本情報画面Ｇ３Ａに対するリクエストがあったことを記録するようになされている。
【０１０９】
クライアント端末９は、基本情報画面Ｇ３Ａの属性情報Ｚ１及びＺ２に基づいてレコード会社２のサーバ３へ無線ＬＡＮアクセスポイント４を経由してアクセスすることにより、クライアント端末８から基本情報画面Ｇ３Ａを介して紹介された属性情報Ｚ１及びＺ２に対応する試聴用コンテンツＣ１Ａ及びＣ２Ａをストリーミング再生してユーザ１２に試聴させることができる。
【０１１０】
因みに、クライアント端末９は、クライアント端末８が基本情報画面Ｇ３Ａに記載された属性情報Ｚ１及びＺ２に対応するコンテンツＣ１及びＣ２を所有している場合には、属性情報Ｚ１及びＺ２のうち試聴可能範囲に基づいて制限されたコンテンツＣ１及びＣ２の一部を直接受信して試聴することもできる。
【０１１１】
この場合、例えばクライアント端末８及び９がレコード会社２のサーバ３とアクセスすることが不可能な通信環境下において、クライアント端末８が属性情報Ｚ１及びＺ２に対応するコンテンツＣ１及びＣ２を所有している場合、その属性情報Ｚ１及びＺ２により規定された試聴可能範囲の制限時間内でコンテンツＣ１及びＣ２をクライアント端末９へ無線送信することができるので、あたかもクライアント端末８がレコード会社２のサーバ３の役割を担うことができるようになされている。
【０１１２】
また図１０に示すように、クライアント端末９は、基本情報画面Ｇ３Ａをユーザに閲覧させた後、当該ユーザによって基本情報画面Ｇ３Ａのうちの「次へ→」のアイコンＡＫ１がクリックされたことを認識すると、次の情報画面Ｇ３Ｂを取得するためのリクエスト用情報画面ＲＫ１をクライアント端末８へ無線送信する。
【０１１３】
クライアント端末８は、クライアント端末９から受信したリクエスト用情報画面ＲＫ１を保存することにより情報画面Ｇ３Ｂに対するリクエストがあったことを記録し得ると共に、当該リクエスト用情報画面ＲＫ１に従って次の情報画面Ｇ３Ｂをクライアント端末９へ無線送信することにより、当該クライアント端末９のＬＣＤ９Ａを介してユーザ１２へ次の情報画面Ｇ３Ｂを閲覧させるようになされている。
【０１１４】
このようにクライアント端末９は、基本情報画面Ｇ３Ａから情報画面Ｇ３Ｂ、さらには情報画面Ｇ３Ｂから次の情報画面Ｇ３Ｃへと順次リンクをたどっていくことにより、ユーザ１１のクライアント端末８が所持する複数の基本情報画面Ｇ３Ａ、情報画面Ｇ３Ｂ及び情報画面Ｇ３Ｃを随時閲覧し得、これら複数の基本情報画面Ｇ３Ａ、情報画面Ｇ３Ｂ及び情報画面Ｇ３Ｃを保存することにより、当該基本情報画面Ｇ３Ａ、情報画面Ｇ３Ｂ及び情報画面Ｇ３Ｃに記載された複数の属性情報Ｚｎを自分のものとして確実に取得し得るようになされている。
【０１１５】
このようなクライアント端末９を所持するユーザ１２が本システムを利用してユーザ１１のクライアント端末８から基本情報画面Ｇ３Ａ、情報画面Ｇ３Ｂ及び情報画面Ｇ３Ｃを取得する流れについては、図１１のシーケンスチャートにより表すことができる。
【０１１６】
ステップＳＰ５１においてユーザ１１のクライアント端末８は、当該ユーザ１１が他人へ紹介するための基本情報画面Ｇ３Ａ、情報画面Ｇ３Ｂ及び情報画面Ｇ３Ｃを作成し、アドホックネットワークを構築するユーザ１２のクライアント端末９からアクセス可能な状態に保存しておき、次のステップＳＰ５２へ移る。
【０１１７】
一方、ステップＳＰ６１においてユーザ１２のクライアント端末９は、ユーザ１１のクライアント端末８が所持している基本情報画面Ｇ３Ａを取得するため、空の情報画面Ｅ１を作成して当該クライアント端末８へ無線送信し、次のステップＳＰ６２へ移る。
【０１１８】
このときステップＳＰ５２においてクライアント端末８は、クライアント端末９から送られた空の情報画面Ｅ１を保存することにより、クライアント端末９からのアクセスログとして残し、次のステップＳＰ５３へ移る。
【０１１９】
ステップＳＰ５３においてクライアント端末８は、保存した空の情報画面Ｅ１が中身のないものなので、基本情報画面Ｇ３Ａに対する取得要求であるとみなし、当該基本情報画面Ｇ３Ａをクライアント端末９へ無線送信し、次のステップＳＰ５４へ移る。
【０１２０】
このときステップＳＰ６２においてクライアント端末９は、クライアント端末８から受信した基本情報画面Ｇ３Ａを保存すると共に、ＬＣＤ９Ａを介して基本情報画面Ｇ３Ａを表示することによりユーザ１２へ基本情報画面Ｇ３Ａを閲覧させ、次のステップＳＰ６３へ移る。
【０１２１】
ステップＳＰ６３においてクライアント端末９は、基本情報画面Ｇ３Ａから次のリンク先である情報画面Ｇ３Ｂをユーザ１２に提示するため、アイコンＡＫ１に対するクリック操作に応じてリクエスト用情報画面ＲＫ１を作成してクライアント端末８へ送信し、次のステップＳＰ６４へ移る。
【０１２２】
このときステップＳＰ５４においてクライアント端末８は、クライアント端末９から受信したリクエスト用情報画面ＲＫ１を保存することにより情報画面Ｇ３Ｂに対するリクエストがあったことを記録し、次のステップＳＰ５５へ移る。
【０１２３】
ステップＳＰ５５においてクライアント端末８は、リクエスト用情報画面ＲＫ１に従ってリクエストされた情報画面Ｇ３Ｂをクライアント端末９へ無線送信する。
【０１２４】
このときステップＳＰ６４においてクライアント端末９は、クライアント端末８から送られた情報画面Ｇ３Ｂを受信して保存すると共に、ＬＣＤ９Ａを介してユーザ１２へ情報画面Ｇ３Ｂを閲覧させる。
【０１２５】
このようにしてクライアント端末８は、情報画面Ｇ３Ｂに続く次の情報画面Ｇ３Ｃについても同様のシーケンスに従ってクライアント端末９へ無線送信し、当該クライアント端末９のＬＣＤ９Ａを介してユーザ１２へ情報画面Ｇ３Ｃを閲覧させるようになされている。
【０１２６】
（１−７−３）クライアント端末同士における双方向コミュニケーション
ところでクライアント端末８は、上述したように基本情報画面Ｇ３Ａ、情報画面Ｇ３Ｂ及び情報画面Ｇ３Ｃをクライアント端末９へ提供することができるが、これに加えて基本情報画面Ｇ３Ａ、情報画面Ｇ３Ｂ及び情報画面Ｇ３Ｃを提供した結果としてクライアント端末９のユーザ１２の反応を確認し得るようになされており、そのような双方向コミュニケーションを実現することができる。
【０１２７】
この場合、図１２に示すようにクライアント端末８は、属性情報Ｚ１及び「この曲が気に入りましたか？」と書かれたアイコンＡＫ２が設けられた基本情報画面Ｇ１０Ａ及びこれにリンクが貼られた情報画面Ｇ１０Ｂを保持している。
【０１２８】
クライアント端末８は、クライアント端末９からの基本情報画面Ｇ１０Ａに対する取得要求に応じて基本情報画面Ｇ１０Ａを当該クライアント端末９へ無線送信し、当該基本情報画面Ｇ１０Ａをユーザ１２に閲覧させる。
【０１２９】
クライアント端末９は、ユーザ１２によって選択された属性情報Ｚ１の試聴用コンテンツＣ１Ａをレコード会社２のサーバ３からストリーミング再生することによりユーザ１２に対してコンテンツＣ１の一部を試聴させる。
【０１３０】
その結果としてユーザ１２がその属性情報Ｚ１に対応するコンテンツＣ１を気に入ったときにアイコンＡＫ２がクリックされると、クライアント端末９はアイコンＡＫ２に対するクリック操作に応じてリクエスト用情報画面ＲＫ２を生成し、それをクライアント端末８へ無線送信する。
【０１３１】
クライアント端末８は、クライアント端末９からのリクエスト用情報画面ＲＫ２に従ってリクエストされた次の情報画面Ｇ１０Ｂを当該クライアント端末９へ無線送信することにより、当該情報画面Ｇ１０Ｂに記載された「気に入ってくれてありがとう」のコメントＭ３を介してユーザ１１の気持ちをクライアント端末９のユーザ１２へ伝達し得るようになされている。
【０１３２】
このようなクライアント端末８及び９間で双方向コミュニケーションを図る流れについては、図１３のシーケンスチャートにより表すことができる。
【０１３３】
ステップＳＰ７１においてクライアント端末８は、他のユーザ１２との間で双方向コミュニケーションを図るための基本情報画面Ｇ１０Ａ及び情報画面Ｇ１０Ｂを作成してハードディスクドライブ４４に保存しておき、次のステップＳＰ７２へ移る。
【０１３４】
一方、ステップＳＰ８１においてクライアント端末９は、アドホックネットワークを構築しているクライアント端末８が保持する基本情報画面Ｇ１０Ａを取得するため、空の情報画面Ｅ１を作成して当該クライアント端末８へ無線送信し、次のステップＳＰ８２へ移る。
【０１３５】
このときステップＳＰ７２においてクライアント端末８は、クライアント端末９から送られた情報画面Ｅ１が中身のないものなので基本情報画面Ｇ１０Ａに対する取得要求であるとみなし、当該基本情報画面Ｇ１０Ａをクライアント端末９へ無線送信し、次のステップＳＰ７３へ移る。
【０１３６】
因みにクライアント端末８は、クライアント端末９から送られた空の情報画面Ｅ１を保存することにより、クライアント端末９からのアクセスログとして残すようになされている。
【０１３７】
ステップＳＰ８２においてクライアント端末９は、クライアント端末８から送られてくる基本情報画面Ｇ１０Ａを保存すると共に、ＬＣＤ９Ａを介して基本情報画面Ｇ１０Ａを表示することによりユーザ１２へ基本情報画面Ｇ１０Ａの内容を閲覧させ、次のステップＳＰ８３へ移る。
【０１３８】
ステップＳＰ８３においてクライアント端末９は、基本情報画面Ｇ１０ＡにおけるアイコンＡＫ２（「この曲が気に入りましたか？」）に対してユーザ１２が応答するべくクリックしたことを認識すると、次の情報画面Ｇ１０Ｂを取得するためリクエスト用情報画面ＲＫ２を作成してクライアント端末８へ無線送信し、次のステップＳＰ８４へ移る。
【０１３９】
このときステップＳＰ７３においてクライアント端末８は、リクエスト用情報画面ＲＫ２に基づいてリクエストされた次の情報画面Ｇ１０Ｂをクライアント端末９へ無線送信する。
【０１４０】
このときステップＳＰ８４においてクライアント端末９は、クライアント端末８から送られた情報画面Ｇ１０Ｂを受信して保存すると共に、ＬＣＤ９Ａを介して情報画面Ｇ１０Ｂを表示することにより、当該情報画面Ｇ１０Ｂに記載された「気に入ってくれてありがとう」のコメントＭ３を介してユーザ１１の気持ちをユーザ１２へ伝達することができるようになされている。
【０１４１】
（１−７−４）ＣＤショップの店内用サーバとクライアント端末との双方向コミュニケーション
次に、コンテンツ紹介情報配信システム１ではクライアント端末８及び９による双方向コミュニケーションだけではなく、ＣＤショップ５の店内用サーバ６と例えばユーザ１１のクライアント端末８との間における双方向コミュニケーションを実現し得るようになされている。
【０１４２】
図１４に示すようにＣＤショップ５の店内用サーバ６は、属性情報Ｚ１及び「この曲が気に入りましたか？」のコメントＭ４及びこのコメントＭ４に対する応答となる「Ｙｅｓ」アイコンＡＫ３及び「Ｎｏ」アイコンＡＫ４が設けられた基本情報画面Ｇ１１Ａと情報画面Ｇ１１Ｂとを保持している。
【０１４３】
ＣＤショップ５の店内用サーバ６は、クライアント端末８からの基本情報画面Ｇ１１Ａに対する取得要求に応じて基本情報画面Ｇ１１Ａを当該クライアント端末８へ無線送信し、当該基本情報画面Ｇ１１Ａをユーザ１１に閲覧させる。
【０１４４】
店内用サーバ６は、その特徴として、専用プログラムを用いることにより、基本情報画面Ｇ１１Ａにおける「Ｙｅｓ」アイコンＡＫ３又は「Ｎｏ」アイコンＡＫ４の何れかが選択されたことに応じてクライアント端末８へ提供する情報画面Ｇ１１Ｂを変更できるようになされている。
【０１４５】
店内用サーバ６は、例えば「Ｙｅｓ」アイコンＡＫ３が選択された場合には上述の「気に入ってくれてありがとう」のコメントＭ３が付された情報画面Ｇ１０Ｂ（図１２）を作成して提供し、「Ｎｏ」アイコンＡＫ４が選択された場合には、リクエスト用情報画面ＲＫ３に従って別の楽曲データでなるコンテンツＣｎの属性情報Ｚ１１を記載した情報画面Ｇ１１Ｂを生成して提供し得るようになされている。
【０１４６】
因みに、専用プログラム６Ａとしては、店内用サーバ６が内部のハードディスクドライブ３４に格納されている場合も有り得るし、又は他のパーソナルコンピュータの内部に格納されている場合もあり、種々の形態が考えられる。
【０１４７】
このようなＣＤショップ５の店内用サーバ６とクライアント端末８との間で双方向コミュニケーションを図る流れについては、図１５のシーケンスチャートにより表すことができる。
【０１４８】
ステップＳＰ９１においてＣＤショップ５の店内用サーバ６は、基本情報画面Ｇ１１Ａを予め作成して保存しておき、次のステップＳＰ９２へ移る。
【０１４９】
一方、ステップＳＰ１０１においてクライアント端末８は、ＣＤショップ５の店内用サーバ６と既にやりとりを行っていて基本情報画面Ｇ１１Ａを取得しており、その基本情報画面Ｇ１１Ａをユーザ１１に閲覧させ、次のステップＳＰ１０２へ移る。
【０１５０】
ステップＳＰ１０２においてクライアント端末８は、基本情報画面Ｇ１１Ａに記載されているコメントＭ４に応じて選択された例えば「Ｎｏ」アイコンＡＫ４に対応するリンク先の情報画面Ｇ１１Ｂを要求／取得するため、リクエスト用情報画面ＲＫ３を作成してこれを店内用の無線ＬＡＮアクセスポイント７経由で店内用サーバ６へ送信し、次のステップＳＰ１０３へ移る。
【０１５１】
このときステップＳＰ９２において店内用サーバ６は、クライアント端末８から送られた情報画面が「Ｎｏ」アイコンＡＫ４に対するリンク先への要求を表したリクエスト用情報画面ＲＫ３であるため、専用プログラム６Ａを起動して新たな情報画面Ｇ１１Ｂを作成するための命令を与え、次のステップＳＰ９４へ移る。
【０１５２】
このときステップＳＰ９３において専用プログラム６Ａは、「Ｎｏ」アイコンＡＫ４に応じてユーザ１１が好みそうな楽曲データを検索し、その楽曲データのコンテンツＣｎに対応する属性情報Ｚｎを用いて新たな情報画面Ｇ１１Ｂを作成する。
【０１５３】
ステップＳＰ９４において店内用サーバ６は、専用プログラム６Ａによって作成された新たな情報画面Ｇ１１Ｂをクライアント端末８へ店内用の無線ＬＡＮアクセスポイント７経由で無線送信する。
【０１５４】
ステップＳＰ１０３においてクライアント端末８は、店内用サーバ６から送られた新たな情報画面Ｇ１１Ｂを保存すると共にＬＣＤ８Ａを介して当該新たな情報画面Ｇ１１Ｂを表示することにより、ユーザ１１に新たな情報画面Ｇ１１Ｂの内容を閲覧させる。
【０１５５】
これにより店内用サーバ６は、クライアント端末８を所持するユーザ１１の反応に応じて新たな情報画面Ｇ１１Ｂを作成し、これを提供することができるので、店内用サーバ６とユーザ１１のクライアント端末８との間においてもフレキシブルな双方向コミュニケーションを図ることができる。
【０１５６】
（１−８）日記機能
続いて、クライアント端末８及び９が有する日記機能について説明する。図１６に示すようにクライアント端末８及び９は、日付を取得することが出来る場合に１日の間に再生した楽曲データのコンテンツＣｎを複数並べた一覧画面Ｇ２１、Ｇ２２及Ｇ２３を作成し得るようになされている。
【０１５７】
これによりクライアント端末８では、過去の再生リストでもある例えば一覧画面Ｇ２２における属性情報Ｚ６１やＺ６２に基づいて当該属性情報Ｚ６１やＺ６２に対応するコンテンツＣ６１やＣ６２を再生し得るようになされている。
【０１５８】
この場合、クライアント端末８では、属性情報Ｚ６１やＺ６２に対応するコンテンツＣ６１やＣ６２をハードディスクドライブ４４に保存しているときには、当該属性情報Ｚ６１やＺ６２の著作権情報に基づいてコンテンツＣ６１やＣ６２の全てを再生することが可能であるが、ハードディスクドライブ４４から削除してしまっているときには、レコード会社２のサーバ３にアクセスして試聴用コンテンツＣ６１ＡやＣ６２Ａを取得して聴取し、気に入れば再度ダウンロードすることにより購入することができる。
【０１５９】
このようなクライアント端末８における日記機能を実現するための一覧画面生成処理手順について次の図１７を用いて説明する。ステップＳＰ１１１においてクライアント端末８は、ユーザの操作に基づいて再生記録モードに設定し、その日（例えば2004年02月25日）に再生したコンテンツＣｎを再生記録用の一覧画面Ｇ２１に記録していき、次のステップＳＰ１１２へ移る。
【０１６０】
ステップＳＰ１１２においてクライアント端末８は、ユーザ１１からの命令に応じて、その日のうちに再生した他のコンテンツＣｎがあれば、その属性情報Ｚｎについても一覧画面Ｇ２１に追加し、次のステップＳＰ１１３へ移る。
【０１６１】
ステップＳＰ１１３においてクライアント端末８は、ユーザ１１により不要と思われた例えばコンテンツＣ６２に対する削除命令が与えられると、その削除命令に従って当該コンテンツＣ６２をハードディスクドライブ４４から削除するが、このとき当該ハードディスクドライブ４４から削除したコンテンツＣ６２に対応する一覧画面Ｇ２１の属性情報Ｚ６２については削除することなく、次のステップＳＰ１１４へ移る。
【０１６２】
ステップＳＰ１１４においてクライアント端末８は、さらに後日ユーザ１１によって呼び出された例えば一覧画面Ｇ２２をＬＣＤ８Ａに表示することにより、例えば2004年02月20日に再生したコンテンツＣ６１、Ｃ６２の属性情報Ｚ６１、Ｚ６２を提示し、次のステップＳＰ１１５へ移る。
【０１６３】
ステップＳＰ１１５においてクライアント端末８は、一覧画面Ｇ２２に提示された属性情報Ｚ６１のコンテンツＣ６１が内部のハードディスクドライブ４４に保存されているので、一覧画面Ｇ２２の属性情報Ｚ６１に基づいてハードディスクドライブ４４に保存されているコンテンツＣ６１を再生し、次のステップＳＰ１１６へ移る。
【０１６４】
一方、ステップＳＰ１１６においてクライアント端末８は、一覧画面Ｇ２２に提示された属性情報Ｚ６２のコンテンツＣ６２が内部のハードディスクドライブ４４に存在しないので、一覧画面Ｇ２２の属性情報Ｚ６２を基にレコード会社２のサーバ３へアクセスし、属性情報Ｚ６２に対応する試聴用コンテンツＣ６２Ａを取得してストリーミング再生し、次のステップＳＰ１１７へ移って処理を終了する。
【０１６５】
（１−９）第１の実施の形態における動作及効果
以上の構成において、第１の実施の形態におけるコンテンツ紹介情報配信システム１ではクライアント端末８がＣＤショップ５の店内用サーバ６に対してアクセスすることにより、当該店内用サーバ６からＣＤショップ５が不特定多数のユーザへ提供しようとする情報画面Ｇ１を取得し、その情報画面Ｇ１の中に記載されている属性情報Ｚｎを介してユーザ１１にコンテンツＣｎの詳細を認識させることができる。
【０１６６】
クライアント端末８は、ユーザ１１に対してコンテンツＣｎの詳細を認識させることにより、その属性情報Ｚｎが選択されると、店内用の無線ＬＡＮアクセスポイント７を介して属性情報Ｚｎに対応する試聴用コンテンツＣｎＡをレコード会社２のサーバ３から取得し、当該ユーザ１１に対して聴取させることができる。
【０１６７】
これによりクライアント端末８のユーザ１１は、ＣＤショップ５の店内用サーバ６から取得した情報画面Ｇ１の属性情報Ｚｎに基づいてユーザ１１自身が知らなかったコンテンツＣｎの存在を認識し得、その場でクライアント端末８を介して試聴用コンテンツＣｎＡを聴取することができるので、気に入ればその属性情報Ｚｎに対応するコンテンツＣｎが収録されたＣＤをＣＤショップ５で購入したり、あるいは自宅でレコード会社２のサーバ３からコンテンツＣｎを直接ダウンロードして購入することができる。
【０１６８】
従ってコンテンツ紹介情報配信システム１では、ユーザ１１に対して新たなコンテンツＣｎとの出会いの機会を演出し、ユーザ１１に気に入ってもらったときには当該コンテンツＣｎの販売機会に直結させることができる。
【０１６９】
このことはコンテンツ紹介情報配信システム１を構築するレコード会社２やＣＤショップ５に対する利益だけではなく、気に入ったコンテンツＣｎを直ちに取得することができるユーザ１１にとっても大きな利益を提供することを意味する。
【０１７０】
またコンテンツ紹介情報配信システム１では、ＣＤショップ５の店内用サーバ６とクライアント端末８との関係だけではなく、クライアント端末８及び９同士の間でもアドホックネットワークを構築して情報画面Ｇ３、Ｇ４を相互に交換するようにしたことにより、クライアント端末８及び９自体が情報発信元となって新たなコンテンツＣｎとの出会いの機会を更に増やすことができる。
【０１７１】
さらにコンテンツ紹介情報配信システム１では、クライアント端末８及び９がレコード会社２のサーバ３とアクセスすることが不可能な通信環境下であっても、クライアント端末８が属性情報Ｚ１及びＺ２に対応するコンテンツＣ１及びＣ２を所有している場合、その属性情報Ｚ１及びＺ２により規定された試聴可能範囲の制限時間内でコンテンツＣ１及びＣ２の一部をクライアント端末９へアドホックネットワークにより無線送信することができるので、クライアント端末８がレコード会社２のサーバ３の役割を担うことも可能となり、新しいコンテンツＣｎとの出会いの機会を更に拡げることができる。
【０１７２】
以上の構成によれば、コンテンツ紹介情報配信システム１では、ＣＤショップ５の店内用サーバ６から供給される情報画面Ｇ１や、クライアント端末８及び９同士で相互に交換し合う情報画面Ｇ３、Ｇ４を介して属性情報Ｚｎを提供することができるので、コンテンツＣｎの属性情報Ｚｎをユーザ１１、１２に対して確実に供給し、その属性情報Ｚｎを基に当該コンテンツＣｎを確実に取得させることができる。
【０１７３】
（２）第２の実施の形態
（２−１）自動的に配信される情報画面を取得するコンテンツ紹介情報配信システム
次に、これまでのコンテンツ紹介情報配信システム１（図１）のように、クライアント端末８及び９がＣＤショップ５の店内用サーバ６やレコード会社２のサーバ３へ自らアクセスして情報画面Ｇ１等を取得するものとは異なり、ユーザ１１及び１２の知らないうちにクライアント端末８及び９が自動的に配信される情報画面Ｇ１等を取得するようなコンテンツ紹介情報配信システムについて説明する。
【０１７４】
図１との対応部分に同一符号を付した図１８に示すように、１００は全体として第２の実施の形態におけるコンテンツ紹介情報配信システムを示し、ＣＤショップ５の店内用サーバ６、店内用の無線ＬＡＮアクセスポイント７、ユーザ１１（図示せず）が所持する携帯型のクライアント端末８、ユーザ１２（図示せず）が所持する携帯型のクライアント端末９によって構成される。
【０１７５】
ＣＤショップ５の店内用サーバ６は、レコード会社のサーバ（図示せず）とインターネットを介して接続されており、当該レコード会社のサーバからコンテンツＣ１〜Ｃ３の属性情報Ｚ１〜Ｚ３をインターネット経由で取得する。
【０１７６】
ＣＤショップ５の店内用サーバ６は、本システム向けのアプリケーションプログラムに従って稼動するパーソナルコンピュータでなり、レコード会社のサーバから取得した属性情報Ｚ１、Ｚ２及びＺ３を基にユーザ１１のクライアント端末８及びユーザ１２のクライアント端末９へ提供するための情報画面Ｇ１を生成し、これを内部に保存している。
【０１７７】
またＣＤショップ５の店内用サーバ６は、店内に限らず店頭までを通信可能範囲とする無線ＬＡＮアクセスポイント７に接続されており、ユーザ１１が保持して持ち歩くクライアント端末８と無線ＬＡＮアクセスポイント７を介して無線通信し、種々のデータをやりとりするようになされている。
【０１７８】
具体的には、ＣＤショップ５の前を通り掛かったクライアント端末８のユーザ１１が知らないうちに店内用サーバ６から自動的に配信される情報画面Ｇ１を無線ＬＡＮアクセスポイント７経由でクライアント端末８に取得させるようになされている。
【０１７９】
因みにユーザ１２が保持して持ち歩くクライアント端末９においても、無線ＬＡＮアクセスポイント７を介して無線通信し、ＣＤショップ５の店内用サーバ６との間で種々のデータをやりとりするようになされている。
【０１８０】
クライアント端末８及び９は、第１の実施の形態と同様、本システム向けに開発された属性情報取得プログラム等のアプリケーションプログラムに従って稼動するノートブック型パーソナルコンピュータやＰＤＡでなり、コンテンツＣｎの再生が可能で、当該コンテンツＣｎを保存するためのハードディスク又はフラッシュメモリ等の記憶媒体を有し、かつ各種情報を表示するＬＣＤ(Liquid Crystal Display)８Ａ及び９Ａが設けられている。
【０１８１】
このクライアント端末８及び９は、相互に無線通信可能でいわゆるアドホックネットワークを構築し得るようになされており、相互に種々のデータをやりとりするようになされている。
【０１８２】
具体的には、例えばクライアント端末９が他人へお奨めしたいコンテンツＣ４に関する属性情報Ｚ４を不特定多数のユーザへ提供するべくユーザ１２独自の情報画面Ｇ４を生成して保持しており、クライアント端末８を所持するユーザ１１とすれ違った際にこの情報画面Ｇ４を自動的に配信して当該クライアント端末８に取得させるようになされている。
【０１８３】
（２−２）店内用サーバ及クライアント端末の回路構成
このコンテンツ紹介情報配信システム１００における店内用サーバ６及びクライアント端末８、９の回路構成については、第１の実施の形態におけるコンテンツ紹介情報配信システム１で用いられる店内用サーバ６及クライアント端末８、９と同一であるため、ここではその説明を省略する。
【０１８４】
（２−３）コンテンツ紹介情報自動配信取得処理シーケンス
このようなコンテンツ紹介情報配信システム１００におけるＣＤショップ５の店内用サーバ６やクライアント端末９から自動的に配信される情報画面Ｇ１や情報画面Ｇ４をユーザ１１の知らないうちに自動的に取得する流れについては、図１９のシーケンスチャートにより表すことができる。
【０１８５】
ステップＳＰ１２１においてＣＤショップ５の店内用サーバ６は、当該店内用サーバ６の存在を周囲に知らせるため、店内用の無線ＬＡＮアクセスポイント７を介して所定の呼掛情報を一定の時間間隔で通信可能範囲内に存在する不特定多数の端末へ自動的に送信し、次のステップＳＰ１２２へ移る。
【０１８６】
一方、ステップＳＰ１３１においてクライアント端末８は、ユーザの操作に応じて基本情報画面Ｇ１、Ｇ４等を常時取得するための自動取得モードに設定し、次のステップＳＰ１３２へ移る。
【０１８７】
ステップＳＰ１３２においてクライアント端末８は、ユーザ１１がＣＤショップ５の前を通り掛かったとき、店内用サーバ６から自動的に常時発信されている呼掛情報を取得することにより情報発信元となる店内用サーバ６の存在を認識し、その店内用サーバ６に対して空の情報画面Ｅ１を無線ＬＡＮアクセスポイント７経由で自動的に無線送信し、次のステップＳＰ１３３へ移る。
【０１８８】
このときステップＳＰ１２２においてＣＤショップ５の店内用サーバ６は、クライアント端末８から空の情報画面Ｅ１を受け取ったので、基本情報画面Ｇ１を読み出して店内用の無線ＬＡＮアクセスポイント７経由でクライアント端末８へ無線送信する。
【０１８９】
ステップＳＰ１３３においてクライアント端末８は、店内用サーバ６から基本情報画面Ｇ１を受信し、これを内部のハードディスクドライブ４に保存し、次のステップＳＰ１３４へ移る。
【０１９０】
ところでステップＳＰ１４１においてクライアント端末９は、無線通信インタフェース４５による無線ＬＡＮ機能により自分の存在を周囲に知らせるための通知情報を一定時間間隔で通信可能範囲内に存在する不特定多数の端末へ自動的に送信し、次のステップＳＰ１４２へ移る。
【０１９１】
このときステップＳＰ１３４においてクライアント端末８は、クライアント端末９の所持者であるユーザ１２とすれ違うときに、当該クライアント端末９から発信された通知情報を取得することによりその存在を認識し得、空の情報画面Ｅ１をクライアント端末９へ自動的に無線送信し、次のステップＳＰ１３５へ移る。
【０１９２】
ステップＳＰ１４２においてクライアント端末９は、クライアント端末８から空の情報画面Ｅ１を受信したので、予め用意しておいた基本情報画面Ｇ４を読み出し、アドホックネットワークを構築しているクライアント端末８へその基本情報画面Ｇ４を無線送信する。
【０１９３】
これによりステップＳＰ１３５においてクライアント端末８は、クライアント端末９から基本情報画面Ｇ４を受信し、これを内部のハードディスクドライブ４４に保存し、次のステップＳＰ１３６へ移る。
【０１９４】
ステップＳＰ１３６においてクライアント端末８は、例えばユーザ１１の帰宅後、ユーザの操作に応じてハードディスクドライブ４４に保存しておいた基本情報画面Ｇ１及び基本情報画面Ｇ４を読み出してＬＣＤ８Ａに表示することにより閲覧させる。
【０１９５】
このようにしてクライアント端末８は、当該クライアント端末８を持ち歩くユーザ１１の外出中、そのユーザ１１が知らないうちにＣＤショップ５の店内用サーバ６から情報画面Ｇ１を自動的に取得したり、通りすがりのユーザ１２が所持していた他のクライアント端末９から情報画面Ｇ４を自動的に取得することができるようになされている。
【０１９６】
これによりクライアント端末８のユーザ１１は、情報画面Ｇ１又はＧ４を介して属性情報Ｚ１、Ｚ４からコンテンツＣ１やコンテンツＣ４の存在を認識することができ、その属性情報Ｚ１、Ｚ４に基づいてレコード会社のサーバにアクセスして試聴用コンテンツを取得したり、その属性情報Ｚ１、Ｚ４に対応するコンテンツＣ１、Ｃ４をダウンロードすることにより購入したり、或いはＣＤショップ５に直接出向いてそのコンテンツＣ１、Ｃ４が収録されたＣＤを購入することができるようになされている。
【０１９７】
（２−４）第２の実施の形態における動作及び効果
以上の構成において、第２の実施の形態におけるコンテンツ紹介情報配信システム１００ではクライアント端末８を持ち歩くユーザ１１がＣＤショップ５の前を通り掛ったとき、当該ＣＤショップ５の店内用サーバ６から常時自動的に発信されている呼掛情報に基づいてクライアント端末８が店内用サーバ６を情報発信源であると認識し、ユーザ１１の知らないうちに自動的に情報画面Ｇ１を店内用サーバ６から取得して保存する。
【０１９８】
またコンテンツ紹介情報自動取得システム１００では、クライアント端末８を所持するユーザ１１と、クライアント端末９を持ち歩くユーザ１２とがすれ違ったときにも、クライアント端末８がクライアント端末９から情報画面Ｇ４を自動的に取得して保存する。
【０１９９】
従ってクライアント端末８のユーザ１１は、自ら意識して積極的に情報画面Ｇ１、Ｇ４を取得する必要はなく、完全に受身の状態で、情報発信源となるＣＤショップ５の店内用サーバ６やクライアント端末９との通信可能範囲にクライアント端末８が位置したときに、自動的に情報画面Ｇ１、Ｇ４を取得して保存することができる。
【０２００】
従ってクライアント端末８では、ユーザ１１が希望した所望のタイミングで情報画面Ｇ１、Ｇ４を閲覧させることができ、当該情報画面Ｇ１、Ｇ４の属性情報Ｚ１〜Ｚ３及びＺ４を介してユーザ１１にコンテンツＣ１〜Ｃ３及びＣ４の詳細を認識させることができる。
【０２０１】
これによりクライアント端末８は、ユーザ１１により、情報画面Ｇ１、Ｇ４の属性情報Ｚ１〜Ｚ３及びＺ４が選択されると、無線ＬＡＮアクセスポイント４を介して属性情報Ｚ１〜Ｚ３及びＺ４に対応する試聴用コンテンツＣ１〜Ｃ３及びＣ４をレコード会社２のサーバ３から取得し、当該ユーザ１１に対して聴取させることができる。
【０２０２】
これによりクライアント端末８のユーザ１１は、自ら意識することなく自動的に収集された情報画面Ｇ１、Ｇ４の属性情報Ｚ１〜Ｚ３及びＺ４に基づいてユーザ１１自身が知らなかったコンテンツＣ１〜Ｃ３及びＣ４の存在を認識し得、その場でクライアント端末８を介して試聴用コンテンツＣ１Ａ〜Ｃ３Ａ及びＣ４Ａを聴取することができるので、気に入ればその属性情報Ｚ１〜Ｚ３及びＺ４に対応するコンテンツＣ１〜Ｃ３及びＣ４が収録されたＣＤをＣＤショップ５で購入したり、あるいは自宅でレコード会社２のサーバ３からコンテンツＣ１〜Ｃ３及びＣ４を直接ダウンロードして購入することができる。
【０２０３】
従ってコンテンツ紹介情報配信システム１００では、ユーザ１１に対して新たなコンテンツＣ１〜Ｃ３及びＣ４との出会いの機会を当該ユーザ１１に対して意識させることなく自然に提供し、ユーザ１１に気に入ってもらったときには当該コンテンツＣ１〜Ｃ３及びＣ４を販売する機会に直結させることができる。
【０２０４】
このことはコンテンツ紹介情報配信システム１００を構築するＣＤショップ５に対する利益だけではなく、何ら意識することなくコンテンツＣ１〜Ｃ３及びＣ４との出会いの機会を与えてもらうユーザ１１にとっても大きな利益となることを意味する。
【０２０５】
またコンテンツ紹介情報配信システム１００では、クライアント端末８が他のクライアント端末９から自動的に情報画面Ｇ４を取得することができるので、新たなコンテンツＣ４との出会いの機会を更に増やすことができると共に、そのようにして出会ったコンテンツＣ４を他人へ紹介するための情報発信源にクライアント端末８自身がなり得るので、新たなコンテンツＣ４との出会いの機会を第１の実施の形態におけるコンテンツ紹介情報配信システム１よりも更に増やすことができる。
【０２０６】
以上の構成によれば、コンテンツ紹介情報配信システム１００では、ＣＤショップ５の店内用サーバ６から供給される情報画面Ｇ１や、クライアント端末９から供給される情報画面Ｇ４をクライアント端末８のユーザ１１の知らないうちに収集させることが出来るため、当該情報画面Ｇ１、Ｇ４を介してコンテンツＣ１〜Ｃ３及びＣ４の属性情報Ｚ１〜Ｚ３及びＺ４をユーザ１１に対して確実に供給し、その属性情報Ｚ１〜Ｚ３及びＺ４を基に当該コンテンツＣ１〜Ｃ３及びＣ４を確実に取得させることができる。
【０２０７】
（３）他の実施の形態
なお上述の実施の形態においては、クライアント端末８が取得するコンテンツとして楽曲データでなるコンテンツＣｎを対象とするようにした場合について述べたが、本発明はこれに限らず、図２０に示すようにレコード会社２のサーバ３が提供する情報画面Ｇ１の属性情報Ｚ１に対応する楽曲データでなるコンテンツＣ１以外にも映画会社１１１のサーバ１１２が提供する情報画面Ｇ１１１の属性情報Ｚ９１に対応する映画データでなる動画コンテンツ、出版社１１３が提供する情報画面Ｇ１１２の属性情報Ｚ９２に対応する電子書籍等でなるコンテンツを対象とするようにしても良い。
【０２０８】
また上述の実施の形態においては、レコード会社２のサーバ３やＣＤショップ５の店内用サーバ６とクライアント端末８及び９とを無線ＬＡＮアクセスポイント４、７及び１０を介して無線通信により接続するようにした場合について述べたが、本発明はこれに限らず、有線接続するようにしても良い。
【０２０９】
さらに上述の実施の形態においては、クライアント端末８及び９としてノートブック型パーソナルコンピュータを用いるようにした場合について述べたが、本発明はこれに限らず、ＰＤＡ(Personal Digital Assistant)、携帯電話機、携帯型ゲーム装置等の通信機能を持ったその他種々のクライアント端末を用いるようにしても良い。
【０２１０】
さらに上述の実施の形態においては、クライアント端末８のＣＰＵ４１が属性情報取得プログラムに従ってコンテンツ紹介情報配信処理シーケンス（１）、コンテンツ紹介情報配信処理シーケンス（２）、情報画面取得処理シーケンス（図１１）、クライアント端末同士の双方向コミュニケーション処理シーケンス（図１３）、店内用サーバとクライアント端末との双方向コミュニケーション処理シーケンス（図１５）、日記機能による一覧画面生成処理手順（図１７）、コンテンツ紹介情報自動取得処理シーケンス（図１９）を実行するようにした場合について述べたが、本発明はこれに限らず、当該属性情報取得プログラムが格納されたＣＤ−ＲＯＭ(Compact Disc-Read Only Memory)、ＤＶＤ−ＲＯＭ(Digital Versatile Disc-Read Only Memory)、半導体メモリ等の種々の記憶媒体を介してクライアント端末８に当該属性情報取得プログラムをインストールして上述した種々の処理シーケンスを実行するようにしても良い。
【０２１１】
さらに上述の実施の形態においては、属性情報を受信する受信手段としての無線通信インタフェース４５、記憶手段としてのハードディスクドライブ４４によりクライアント端末としてのクライアント端末８及び９を構成するようにした場合について述べたが、本発明はこれに限らず、有線通信インタフェース等の受信手段、半導体メモリ等でなる記憶手段を用いてクライアント端末を構成するようにしても良い。
【産業上の利用可能性】
【０２１２】
本発明のコンテンツ紹介情報配信システム、クライアント端末、クライアント端末の属性情報取得方法及び属性情報取得プログラムは、例えば所定の２次元コードからコンテンツの属性情報を取得させることにより、ユーザに対してコンテンツと出会う機会を増やす種々のシステムに適用することができる。
【図面の簡単な説明】
【０２１３】
【図１】第１の実施の形態におけるコンテンツ紹介情報配信システムの全体構成を示す略線図である。
【図２】レコード会社におけるサーバの回路構成を示す略線的ブロック図である。
【図３】ＣＤショップにおける店内用サーバの回路構成を示す略線的ブロック図である。
【図４】クライアント端末の回路構成を示す略線的ブロック図である。
【図５】属性情報の構成要素を示す略線図である。
【図６】属性情報を取り扱う「情報画面」の一例を示す略線図である。
【図７】コンテンツ紹介情報配信処理シーケンス（１）の説明に供するシーケンスチャートである。
【図８】コンテンツ紹介情報配信処理シーケンス（２）の説明に供するシーケンスチャートである。
【図９】情報画面のやりとり（１）の説明に供する略線図である。
【図１０】情報画面のやりとり（２）の説明に供する略線図である。
【図１１】情報画面取得処理シーケンスの説明に供するシーケンスチャートである。
【図１２】双方向コミュニケーション（１）の説明に供する略線図である。
【図１３】クライアント端末同士の双方向コミュニケーション処理シーケンスの説明に供するシーケンスチャートである。
【図１４】双方向コミュニケーション（２）の説明に供する略線図である。
【図１５】店内用サーバとクライアント端末との双方向コミュニケーション処理シーケンスの説明に供するシーケンスチャートである。
【図１６】過去の再生記録をたどる日記機能の説明に供する略線図である。
【図１７】日記機能による一覧画面生成処理手順を示す略線図である。
【図１８】第２の実施の形態におけるコンテンツ紹介情報配信システム（自動取得モード）の全体構成を示す略線図である。
【図１９】第２の実施の形態におけるコンテンツ紹介情報自動配信取得処理シーケンスの説明に供するシーケンスチャートである。
【図２０】他の実施の形態におけるコンテンツの対象を示す略線図である。
【符号の説明】
【０２１４】
１、１００……コンテンツ紹介情報配信システム、２……レコード会社、３……サーバ、４、７、１０……無線ＬＡＮアクセスポイント、５……ＣＤショップ、６……店内用サーバ、８、９……クライアント端末、１１、１２……ユーザ、２１、３１、４１……ＣＰＵ、２２、３２、４２……ＲＯＭ、２３、３３、４３……ＲＡＭ、２４、３４、４４……ハードディスクドライブ、２５、２６、３５、３６……ネットワークインタフェース、４５……無線通信インタフェース。
【図１】
2007034694.tif 000003
【図２】
2007034694.tif 000004
【図３】
2007034694.tif 000005
【図４】
2007034694.tif 000006
【図５】
2007034694.tif 000007
【図６】
2007034694.tif 000008
【図７】
2007034694.tif 000009
【図８】
2007034694.tif 000010
【図９】
2007034694.tif 000011
【図１０】
2007034694.tif 000012
【図１１】
2007034694.tif 000013
【図１２】
2007034694.tif 000014
【図１３】
2007034694.tif 000015
【図１４】
2007034694.tif 000016
【図１５】
2007034694.tif 000017
【図１６】
2007034694.tif 000018
【図１７】
2007034694.tif 000019
【図１８】
2007034694.tif 000020
【図１９】
2007034694.tif 000021
【図２０】
2007034694.tif 000022